(57)【特許請求の範囲】
【請求項１】
電子冷却素子と、その吸熱面と放熱面にそれぞれ取付けられた冷却体及び放熱体と、電子冷却素子に通電する電源装置と、ファンとを筐体内に備えた盤用電子除湿器であって、筐体の内部に、盤内空気を吸引して放熱体に上向きに通流させる流路と、盤内空気を吸引して冷却体に上向きに通流させる流路とを形成し、冷却体によって冷却された空気の流路に前記電源装置を配置したことを特徴とする盤用電子除湿器。
【請求項２】
筐体の内部に、電源装置に通流する流路と冷却体に通流する流路とを隔てる第一仕切板を設け、この第一仕切板に冷却体によって冷却された空気を電源装置に通流する第１通流部を形成したことを特徴とする請求項１記載の盤用電子除湿器。
【請求項３】
冷却体の上方に、冷却体によって冷却された空気を第１通流部へ案内する第２仕切板を設けたことを特徴とする請求項２記載の盤用電子除湿器。
【請求項４】
冷却体によって冷却された空気を電源装置に通流する第１通流部と、冷却体によって冷却された空気を放熱体に通流する第２通流部とを備えたことを特徴とする請求項１記載の盤用電子除湿器。
【請求項５】
冷却体の一方に放熱体を配置し、他方に電源装置を配置したことを特徴とする請求項４記載の盤用電子除湿器。
【請求項６】
冷却体の上方に、放熱体と電源装置とを並列配置したことを特徴とする請求項１記載の盤用電子除湿器。
【発明の詳細な説明】
【技術分野】
【０００１】
本発明は、配電盤、制御盤などに取付けられ、盤内空気を除湿する盤用電子除湿器に関するものである。
【背景技術】
【０００２】
配電盤、制御盤などでは、内部の環境によって筐体内部に結露が発生すると内部機器に悪影響が及ぶおそれがあるため、結露を防止するために盤内空気を除湿する盤用除湿器が設けられることがある。
【０００３】
盤用除湿器としては、例えば特許文献１に示すように、ペルチェ素子を用いた電子式の除湿器が広く用いられている。この特許文献１の電子除湿器は、ペルチェ素子の冷却体によって冷却された空気をペルチェ素子の放熱体に送り、放熱効果を高めることによって除湿能力を向上させる工夫がなされている。
【０００４】
しかしこの盤用除湿器のペルチェ素子に通電するための電源装置は、外気あるいは盤内空気をファンで吸引することによって冷却されているだけである。このため外気温が高い場合には電源装置に搭載される電子部品が十分に冷却されず、電源装置の寿命が短くなってしまうという問題があった。
【０００５】
また、放熱体を冷却した空気を電源装置に導いて電源装置を冷却する盤用除湿器もあるが、放熱体により加熱された空気で電源装置を冷却することとなるため、外気温が高い場合には上記と同様、電源装置を十分に冷却できないという問題があった。
【先行技術文献】
【特許文献】
【０００６】
【特許文献１】特開２０１０−７５８５４号公報
【発明の概要】
【発明が解決しようとする課題】
【０００７】
従って本発明の目的は、除湿能力に優れ、しかも電源装置を効率よく冷却することができる盤用電子除湿器を提供することである。
【課題を解決するための手段】
【０００８】
上記の課題を解決するためになされた本発明は、電子冷却素子と、その吸熱面と放熱面にそれぞれ取付けられた冷却体及び放熱体と、電子冷却素子に通電する電源装置と、ファンとを筐体内に備えた盤用電子除湿器であって、筐体の内部に、盤内空気を吸引して放熱体に上向きに通流させる流路と、盤内空気を吸引して冷却体に上向きに通流させる流路とを形成し、冷却体によって冷却された空気の流路に前記電源装置を配置したことを特徴とするものである。
【０００９】
なお請求項２のように、筐体の内部に、電源装置に通流する流路と冷却体に通流する流路とを隔てる第一仕切板を設け、この第一仕切板に冷却体によって冷却された空気を電源装置に通流する第１通流部を形成することができる。また請求項３のように、冷却体の上方に、冷却体によって冷却された空気を第１通流部へ案内する第２仕切板を設けることができる。
【００１０】
また本発明においては、請求項４のように、冷却体によって冷却された空気を電源装置に通流する第１通流部と、冷却体によって冷却された空気を放熱体に通流する第２通流部とを備えた構造とすることができ、この場合、請求項５のように、冷却体の一方に放熱体を配置し、他方に電源装置を配置することができる。さらに請求項６のように、冷却体の上方に、放熱体と電源装置とを並列配置することができる。
【発明の効果】
【００１１】
本発明の盤用電子除湿器は、冷却体によって冷却された空気の流路に電源装置を配置したので、電源装置を効率よく冷却することができる。
【００１２】
請求項２の発明によれば、電源装置に通流する流路と冷却体に通流する流路とを隔てる第一仕切板に、冷却体によって冷却された空気を電源装置に通流する第１通流部を形成したので、これらの流路を接続することができ、電源装置を冷却することができる。また請求項３の発明によれば、第２仕切板によって冷却体によって冷却された空気を第１通流部へ案内することができる。
【００１３】
請求項４の発明によれば、冷却体によって冷却された空気を放熱体に送り、放熱体を冷却して除湿能力を向上させつつ、電源装置も効率よく冷却することができる。
【００１４】
請求項５の発明によれば、冷却体によって冷却された空気を放熱体と電源装置とに容易に分流することができる。また請求項６の発明によれば、放熱体を冷却して除湿能力を向上させつつ、電源装置を効率よく冷却することができる。また電源装置を冷却体の上方に配置できる分だけ、筐体の左右幅を小さくすることができる。さらに、単一の流路で放熱体と電源装置を冷却することができるので、装置構成を簡素化することができる。
【図面の簡単な説明】
【００１５】
【図１】第１の実施形態を示す縦断面図である。
【図２】第１の実施形態を示す外観斜視図である。
【図３】内部構造を示す断面斜視図である。
【図４】内部構造を示す断面斜視図である。
【図５】第２の実施形態を示す縦断面図である。
【発明を実施するための形態】
【００１６】
以下に本発明の実施形態を説明する。本発明の盤用電子除湿器は、制御盤や分電盤などの盤内に取付けられ、結露を防止するものである。
【００１７】
図１〜図４は本発明の第１の実施形態を示す図であり、１は盤用電子除湿器の筐体、２はその内部に設けられたペルチェ素子からなる電子冷却素子２である。電子冷却素子２の吸熱面にはフィン形状の冷却体３が取付けられており、放熱面にはフィン形状の放熱体４が取付けられている。これらのフィン形状は、上下方向の流路を備えた形状とすることが好ましい。この実施形態では冷却体３は筐体１の中央部に位置している。
【００１８】
筐体１の天井部には強制排気用の排気ファン５が設けられている。これらの排気ファン５は、図２に示された筐体１の下部前面に形成された第１吸引口７から盤内空気を吸引し、フィン形状の冷却体３に上向きに通流させ、また図２に示された筐体１の下面に形成された第３吸引口８から盤内空気を吸引し、フィン形状の放熱体４に上向きに通流させる役割を持つ。なお排気ファン５からの排気は筐体１の天井面に形成された排気口から盤内に戻される。
【００１９】
冷却体３と接触した盤内空気は冷却されて含有する水分を凝縮させ、結露水は筐体１の下部の水受部９、ドレンパイプ１０を通じて盤外に排出される。また放熱体４は第３吸引口８から吸引された盤内空気によって冷却される。
【００２０】
筺体１の内部には、第１仕切板１１が設けられており、その片側に電子冷却素子２に給電するための電源装置６が配置され、その反対側に上記した冷却体３が配置されている。このため筐体１の内部はこの第１仕切板１１によって、電源装置６に通流する流路１２と冷却体３に通流する流路１３とに区画されていることとなる。この電源装置６に通流する流路１２の下部には図２に示す第２吸引口１４が形成されている。
【００２１】
また電子冷却素子２と放熱体４との間にも隔壁１５が形成されており、この隔壁１５の上部と第１仕切板１１の上部との間には、第２仕切板１６が設けられている。そしてこの第２仕切板１６よりもやや下方の第１仕切板１１には、冷却体３によって冷却された空気を電源装置６に通流する第１通流部１７が形成されている。このため、電源装置６は流路１２を流れる盤内空気によって冷却されるうえ、第１通流部１７から流入する冷却された空気によっても冷却される。このように、第２仕切板１６は冷却体３によって冷却された空気を第１通流部１７へ案内する役割を持つ。なお電源装置６を冷却した盤内空気は、第２仕切板１６の上側の第３流通部１８を経由して排気ファン５に吸引され、盤内に排気される。
【００２２】
またこの実施形態では、第２仕切板１６よりもやや下方の隔壁１５にも、第２流通部１９が形成されている。この第２流通部１９は冷却体３によって冷却された空気を放熱体４に送るためのものである。この結果、放熱体４は第３吸引口８から吸引された盤内空気のほか、冷却体３によって冷却された空気によっても冷却されるので放熱効果が高まり、電子冷却素子２の除湿能力を向上させることが可能となる。
【００２３】
このように構成された盤用電子除湿器は、盤内から吸引した空気を冷却体３に接触させて空気中の水分を凝縮させ、結露水としてドレンパイプ１０を通じて盤外に排出するものであり、冷却されて水分が除去された空気の一部は第１通流部１７を通じて電源装置６が設置された流路１２に流入し、電源装置６を冷却したうえで、第２仕切板１６の上側の第３流通部１８を経由して、排気ファン５によって盤内に戻される。これによって盤内空気の湿度を低下させることができる。また電源装置６を効率よく冷却することができる。
【００２４】
また冷却体３により冷却された空気の残部は第２流通部１９を通じて放熱体４に流れ、放熱体４を冷却したうえで排気ファン５によって、筐体１の天井面の排気口から盤内に戻される。これによって放熱体４の放熱効率が高まり、除湿能力を向上させることができる。
【００２５】
このように第１の実施形態では、冷却体３の一方に放熱体４を配置し、他方に電源装置６を配置した。このため冷却体３によって冷却された空気を容易に分流させることができる。
【００２６】
なお、第２仕切板１６の一部に穴をあけて空気の通流部を形成し、冷却された空気を、その通流部と電源装置６側に流すようにしてもよい。そうすれば、冷却された空気の流れの抵抗を減少させ、効率よく盤内空気を筐体１内に取り込むことができるので、除湿能力を高めることができる。またこの実施形態では筐体１の天井部に排気ファン５を配置したが、吸気ファンと排気ファンとを組み合わせてもよく、吸気ファンだけを単独で用いることもでき、ファンの台数も特に限定されるものではない。
【００２７】
図５は本発明の第２の実施形態を示す図である。この第２の実施形態では、放熱体４の一部が冷却体３の上方に位置するように張出部２０を形成するとともに、電源装置６も冷却体３の上方に位置させ、冷却体３の上方に放熱体４の張出部２０と電源装置１１とを並列配置した。
【００２８】
排気ファン２１が筐体１の天井部に設けられており、筐体１の下部の図示しない第１吸引口から吸引した盤内空気を冷却体３に通し、冷却された空気で放熱体４と電源装置６とを冷却する。また第１の実施形態と同様、放熱体４にも盤内空気が吸引される。冷却体３の下部には水受部９とドレンパイプ１０が設けられており、結露水を排出する。
【００２９】
この第２の実施形態の盤用電子除湿器も、盤内空気を除湿して結露を防止できるとともに、電源装置６も冷却することができる。また放熱体４に冷却された空気を送って冷却し、除湿能力を向上させることができる。このようなレイアウトを採用すれば、電源装置６を冷却体３の上方に配置できるので、筐体の左右幅を小さくすることができる。しかも単一の流路で放熱体４と電源装置６を冷却することができる利点がある。
【００３０】
以上に説明したように、本発明の盤用電子除湿器は除湿能力に優れ、しかも電源装置を効率よく冷却することができる。
【符号の説明】
【００３１】
１  筐体
２  電子冷却素子
３  冷却体
４  放熱体
５  排気ファン
６  電源装置
７  第１吸引口
８  第３吸引口
９  水受部
１０  ドレンパイプ
１１  第１仕切板
１２  流路
１３  流路
１４  第２吸引口
１５  隔壁
１６  第２仕切板
１７  第１通流部
１８  第３流通部
１９  第２流通部
２０  張出部
２１  排気ファン
【図１】
0006501510.tif 000002
【図２】
0006501510.tif 000003
【図３】
0006501510.tif 000004
【図４】
0006501510.tif 000005
【図５】
0006501510.tif 000006